(57)【要約】【課題】  複数の発光色で情報を表示することができ、且つ、安価な有機ＥＬ表示装置を提供する。【解決手段】  第一の偏光部材４０は、有機ＥＬ表示パネル２０の前側に配設される。液晶セル５０は、少なくとも第一のセグメント５１及び第二のセグメント５２を有し、第一の偏光部材４０の前側に配設される。第二の偏光部材６０は、液晶セル５０の前側に配設され、特定の色の光のみを偏光にする。制御手段８０は、有機ＥＬ表示パネル２０に表示させる情報に応じて第一のセグメント５１及び第二のセグメント５２を各々オン／オフさせる。有機ＥＬ表示パネル２０と第一の偏光部材４０の間に、複屈折板３０を設ける。【選択図】図１
2005242046.tif 000002
【特許請求の範囲】
【請求項１】
有機ＥＬ表示パネルと、前記有機ＥＬ表示パネルの前側に配設された第一の偏光部材と、少なくとも１個のセグメントを有し前記第一の偏光部材の前側に配設された液晶セルと、前記液晶セルの前側に配設された第二の偏光部材と、を有し、前記第一の偏光部材及び前記第二の偏光部材の少なくとも一方が特定の色の光のみを偏光にするカラー偏光部材であることを特徴とする有機ＥＬ表示装置。
【請求項２】
有機ＥＬ表示パネルと、前記有機ＥＬ表示パネルの前側に配設された第一の偏光部材と、少なくとも１個のセグメントを有し前記第一の偏光部材の前側に配設された液晶セルと、前記液晶セルの前側に配設され特定の色の光のみを偏光にする第二の偏光部材と、前記有機ＥＬ表示パネルに表示させる情報に応じて前記セグメントをオン／オフさせる制御手段と、を有することを特徴とする有機ＥＬ表示装置。
【請求項３】
有機ＥＬ表示パネルと、前記有機ＥＬ表示パネルの前側に配設された第一の偏光部材と、少なくとも第一のセグメント及び第二のセグメントを有し前記第一の偏光部材の前側に配設された液晶セルと、前記液晶セルの前側に配設され特定の色の光のみを偏光にする第二の偏光部材と、前記有機ＥＬ表示パネルに表示させる情報に応じて前記第一のセグメント及び前記第二のセグメントを各々オン／オフさせる制御手段と、を有することを特徴とする有機ＥＬ表示装置。
【請求項４】
前記有機ＥＬ表示パネルと前記第一の偏光部材の間に、複屈折板を設けたことを特徴とする請求項１，請求項２または請求項３に記載された有機ＥＬ表示装置。
【請求項５】
前記有機ＥＬパネルは、白色発光する画素を格子状に配置したマトリクス型有機ＥＬパネルであることを特徴とする請求項１，請求項２または請求項３に記載された有機ＥＬ表示装置。
【発明の詳細な説明】
【技術分野】
【０００１】
本発明は、有機ＥＬ表示装置に関するものであり、特に、複数の発光色で情報を表示する有機ＥＬ表示装置に関するものである。
【背景技術】
【０００２】
従来より、有機ＥＬパネルが種々提案されており、例えば特許文献１及び特許文献２に開示されている。有機ＥＬパネル１は、ガラス基板２に積層体３を形成したものであり、この積層体３は、第一電極４，絶縁層５，有機層６，第二電極７を有する（図１０参照）。有機層６は正孔注入層，正孔輸送層，発光層及び電子輸送層からなるものであり、第一電極４と第二電極７に挟持されている。積層体３は封止ガラス８に覆われており、この封止ガラス８はガラス基板２に接着剤９により接着されている。第一電極４は、陽極部４ａ及び陰極端子部４ｂを有している。第二電極７は陰極端子部４ｂと導通されており、有機ＥＬパネル１は陽極部４ａと陰極端子部４ｂに電源を接続することにより発光部Ｐが光輝する。
【０００３】
また、種々の発光色で情報を表示できるカラー有機ＥＬ表示パネルが提案されており、例えば特許文献３に開示されている。斯かるカラー有機ＥＬ表示パネルは、Ｒ（赤），Ｇ（緑），Ｂ（青）のカラーフィルター層が配設された各々の画素を、ＴＦＴ（薄膜トランジスタ）で駆動するアクティブマトリクス型ディスプレイパネルである。
【特許文献１】特開２００１−２６７０６６号公報
【特許文献２】特開平９−１２７８８５号公報
【特許文献３】特開平１１−２９７４７７号公報
【発明の開示】
【発明が解決しようとする課題】
【０００４】
しかしながら、前記カラー有機ＥＬ表示パネルは、微細なカラーフィルター層を各画素に配設するため、高価であるという問題を有していた。そこで、前記カラー有機ＥＬ表示パネルのような所謂フルカラー表示でなく、例えば、表示する情報に応じて特定領域の発光色を変えることができる有機ＥＬ表示が望まれている。本発明は、複数の発光色で情報を表示することができ、且つ、安価な有機ＥＬ表示装置を提供するものである。
【課題を解決するための手段】
【０００５】
本発明は、前記課題を解決するため、請求項１に記載したように、有機ＥＬ表示パネル２０と、前記有機ＥＬ表示パネル２０の前側に配設された第一の偏光部材４０と、少なくとも１個のセグメントを有し前記第一の偏光部材４０の前側に配設された液晶セル５０と、前記液晶セル５０の前側に配設された第二の偏光部材６０と、を有し、前記第一の偏光部材４０及び前記第二の偏光部材６０の少なくとも一方が特定の色の光のみを偏光にするカラー偏光部材であるものである。
【０００６】
本発明は、前記課題を解決するため、請求項２に記載したように、有機ＥＬ表示パネル２０と、前記有機ＥＬ表示パネル２０の前側に配設された第一の偏光部材４０と、少なくとも１個のセグメント５１，５２を有し前記第一の偏光部材４０の前側に配設された液晶セル５０と、前記液晶セル５０の前側に配設され特定の色の光のみを偏光にする第二の偏光部材６０と、前記有機ＥＬ表示パネル２０に表示させる情報に応じて前記セグメント５１，５２をオン／オフさせる制御手段８０と、を有するものである。
【０００７】
また、本発明は、前記課題を解決するため、請求項３に記載したように、有機ＥＬ表示パネル２０と、前記有機ＥＬ表示パネル２０の前側に配設された第一の偏光部材４０と、少なくとも第一のセグメント５１及び第二のセグメント５２を有し前記第一の偏光部材４０の前側に配設された液晶セル５０と、前記液晶セル５０の前側に配設され特定の色の光のみを偏光にする第二の偏光部材６０と、前記有機ＥＬ表示パネル２０に表示させる情報に応じて前記第一のセグメント５１及び前記第二のセグメント５２を各々オン／オフさせる制御手段８０と、を有するものである。
【０００８】
また、本発明は、請求項４に記載したように、前記有機ＥＬ表示パネル２０と前記第一の偏光部材４０の間に、複屈折板３０を設けたものである。
【０００９】
また、本発明は、請求項５に記載したように、前記有機ＥＬパネル２０は、白色発光する画素を格子状に配置したマトリクス型有機ＥＬパネルであるものである。
【発明の効果】
【００１０】
液晶セルのセグメントをオン／オフさせることによって発光色を変えることができ、複数の発光色で情報を表示させることができる。
【発明を実施するための最良の形態】
【００１１】
以下、添付の図面に基づいて、本発明の一実施形態を説明する。有機ＥＬ表示装置１０は、有機ＥＬ表示パネル２０と、複屈折板３０と、偏光板４０（第一の偏光部材）と、液晶セル５０と、カラー偏光板６０（第二の偏光部材）と、を有している。
【００１２】
図５乃至図７は有機ＥＬ表示パネル２０を示すものである。有機ＥＬ表示パネル２０は、格子状に配設された画素を有するマトリクス型のディスプレイパネルであり、各画素はＲ（赤），Ｇ（緑），Ｂ（青）を含んだ白色の光を発する。有機ＥＬ表示パネル２０は、ガラス基板２２上に積層体２３を形成したものであり、この積層体２３は、第一電極２４，絶縁層２５，有機層２６，第二電極２７，リブ部２８を有している。
【００１３】
第一電極２４は、酸化インジウム（In２O３）と酸化スズ（SnO２）の混合物であるＩＴＯ（Indium
Tin Oxide）からなるものであり、スパッタリング或いは蒸着等の手段によって形成されている。第一電極２４は、所定間隔をあけて配置された縦方向のストライプ状の陽極部２４ａと、第二電極２７の陰極部２７ａに電気的に導通される陰極端子部２４ｂと、を有している。絶縁層２５は、ポリイミド系の絶縁材料からなるものであり、フォトリソグラフィー法等の手段によって形成されている。絶縁層２５は、有機層２６よりも広い領域に形成されており、格子状に配置された画素に対応する矩形の開口２５ａと、陰極端子部２４と陰極部２７ａを導通させるコンタクトホール２５ｂとを有している。
【００１４】
有機層２６は、正孔注入層２６ａ，正孔輸送層２６ｂ，発光層２６ｃ及び電子輸送層２６ｄからなるものである（図８参照）。なお、有機層２６は、少なくとも発光層２６ｃがあれば良いが、本実施形態のように正孔注入層２６ａ，正孔輸送層２６ｂ及び電子輸送層２６ｄを設けることにより、発光輝度を向上させることができる。第二電極２７は、アルミニウム（Al）からなるものであり、陰極部２７ａと、周辺部２７ｂとを有している。陰極部２７ａは、第一電極２４の陽極部２４ａに直交する方向、即ち横方法のストライプ状になっている。
【００１５】
リブ部２８は、フェノール系の絶縁材料からなるものであり、フォトリソグラフィー法等の手段によって形成されている。リブ部２８は、絶縁層２５上に形成されており、逆テーパ形状になっている。リブ部２８は、陽極部２４ａと直交する方向に平行線状に設けられており、有機層２６及び第二電極２７をストライプ状に分断する。
【００１６】
複屈折板３０は、有機ＥＬ表示パネル２０と略同じ矩形状になっており、有機ＥＬ表示パネル２０の前側に配置されている。複屈折板３０は、１／４波長板とも称されるものであり、斜め４５°の遅相軸３０ａを有している。偏光板４０は横方向の吸収軸４０ａを有しており、偏光板４０を通過した光は、縦方向の偏光になる。偏光板４０は複屈折板３０の前側に配置されており、複屈折板３０と偏光板４０とで円偏光板７０になる。
【００１７】
液晶セル５０は、透明電極膜が形成された一対の透光性基板間に液晶を封入したものであり、偏光板４０の前側に配置されている。液晶セル５０は、後述する第一の表示領域に対応する第一のセグメント５１と、後述する第二の表示領域に対応する第二のセグメント５２とを有している。第一のセグメント５１及び第二のセグメント５２は横長の長方形になっており、第二のセグメント５２は第一のセグメント５１の下側に設けられている。
【００１８】
液晶セル５０は、ＴＮ（Twisted Nematic）型であり、第一のセグメント５１，第二のセグメント５２がオフされているときは、偏光板４０から入射した縦方向の偏光は、９０°捻られて横方向の偏光になる。また、第一のセグメント５１，第二のセグメント５２がオフされているときは、偏光板４０から入射した縦方向の偏光は、そのまま縦方向の偏光として通過する。
【００１９】
カラー偏光板６０は、縦方向の吸収軸６０ａを有しており、緑色（Ｇ）と青色（Ｂ）の光には偏光板として作用し、赤色（Ｒ）の光は偏光になることなく通過させるものである。カラー偏光板６０は、液晶セル５０の前側に配置されている。
【００２０】
図９は有機ＥＬ表示装置１０の電気的構成を示すブロック図である。８０はマイコン（制御手段）であり、このマイコン８０は、ナビゲーションデータ８１及びメンテナンスデータ８２等を入力し、駆動回路８１，８２を介して、有機ＥＬ表示パネル２０及び液晶セル５０を駆動する。
【００２１】
次に、図１及び図２に基づいて、有機ＥＬ表示装置１０にナビゲーション情報を表示する表示形態について説明する。有機ＥＬ表示装置１０は、第一の表示領域１０ａと、第二の表示領域１０ｂとを有しており、第一の表示領域１０ａに矢印形状の図形情報１１を表示し、第二の表示領域１０ｂに文字情報１２を表示する。
【００２２】
ナビゲーション情報を表示するときは、マイコン８０は、液晶セル５０の第一のセグメント５１をオフさせ、第二のセグメント５２をオンさせる。有機ＥＬ表示パネル２０に表示された図形情報１１の表示光は、偏光板４０を通過するときに縦方向の偏光になるが、液晶セル５０を通過するときに９０°捻られて、横方向の偏光になるため、Ｒ（赤），Ｇ（緑），Ｂ（青）の光がカラー偏光板６０を通過して白色になる。一方、有機ＥＬ表示パネル２０に表示された文字情報１２の表示光は、偏光板４０を通過するときに縦方向の偏光になり、そのまま縦方向の偏光として液晶セル５０を通過し、Ｒ（赤）の光のみがカラー偏光板６０を通過するため、赤色になる。
【００２３】
次に、図３及び図４に基づいて、有機ＥＬ表示装置１０にメンテナンス情報を表示する表示形態について説明する。有機ＥＬ表示装置１０は、第一の表示領域１０ａに図形情報１３を表示し、第二の表示領域１０ｂに文字情報１４を表示する。
【００２４】
メンテナンス情報を表示するときは、マイコン８０は、液晶セル５０の第一のセグメント５１をオンさせ、第二のセグメント５２をオフさせる。有機ＥＬ表示パネル２０に表示された図形情報１３の表示光は、偏光板４０を通過するときに縦方向の偏光になり、そのまま縦方向の偏光として液晶セル５０を通過し、Ｒ（赤）の光のみがカラー偏光板６０を通過するため、赤色になる。一方、有機ＥＬ表示パネル２０に表示された文字情報１４の表示光は、偏光板４０を通過するときに縦方向の偏光になり、液晶セル５０を通過するときに９０°捻られて、横方向の偏光になるため、Ｒ（赤），Ｇ（緑），Ｂ（青）の光がカラー偏光板６０を通過して白色になる。
【００２５】
有機ＥＬ表示装置１０は、マイクロカラーフィルタを用いない比較的安価な白色発光の有機ＥＬ表示パネル２０で、複数の発光色で種々の情報を表示することができる。なお、液晶セル５０の第一のセグメント５１（または第二のセグメント５２）をオンさせて赤色表示させる文字情報１２（または図形情報１４）は、Ｇ（緑），Ｂ（青）の光がカラー偏光板６０で遮られるため、図形情報１１（または文字情報１３）に比べて表示輝度が小さくなるため、有機ＥＬ表示パネル２０の発光輝度を、図形情報１１（または文字情報１３）よりも高くすることが望ましい。
【００２６】
複屈折板３０はなくても良いが、有機ＥＬ表示パネル２０と偏光板４０の間に複屈折板３０を設けることにより、有機ＥＬ表示パネル２０に入射した外光が反射されても、円偏光板７０で遮られるため、表示コントラストが向上する。
【００２７】
本発明は、本実施形態に限定されるものではなく、例えば、液晶セル５０のセグメントは１個であっても良い。また、カラー偏光板６０を適宜選定することにより、種々の発光色を得ることができる。また、カラー偏光板の吸収軸６０ａを縦方向にしても良く、略同様な効果を得ることができる。
【図面の簡単な説明】
【００２８】
【図１】本実施形態を示す分解斜視図。
【図２】同上実施形態を示す正面図。
【図３】同上実施形態を示す分解斜視図。
【図４】同上実施形態を示す正面図。
【図５】同上実施形態を示す有機ＥＬ表示パネルの正面図。
【図６】同上実施形態を示す有機ＥＬ表示パネルの横断面図。
【図７】同上実施形態を示す有機ＥＬ表示パネルの縦断面図。
【図８】同上実施形態を示す有機層の拡大断面図。
【図９】同上実施形態を示すブロック図。
【図１０】従来例を示す断面図。
【符号の説明】
【００２９】
２０  有機ＥＬ表示パネル
３０  複屈折板
４０  偏光板（第一の偏光部材）
５０  液晶セル
５１  第一のセグメント
５２  第二のセグメント
６０  カラー偏光板（第二の偏光部材）
８０  マイコン（制御手段）
【図１】
2005242046.tif 000003
【図２】
2005242046.tif 000004
【図３】
2005242046.tif 000005
【図４】
2005242046.tif 000006
【図５】
2005242046.tif 000007
【図６】
2005242046.tif 000008
【図７】
2005242046.tif 000009
【図８】
2005242046.tif 000010
【図９】
2005242046.tif 000011
【図１０】
2005242046.tif 000012